(57)【要約】【課題】多量のマスカラ薬剤を塗布部に貯留させることができ、１回の塗布操作当たりのマスカラ薬剤の塗布量を多くすることが可能なマスカラ塗布具を提供すること。【解決手段】マスカラ塗布具１０は、支持軸１１の先端に塗布部１２を備える。塗布部１２は、支持軸１１の長手方向に延び且つ第１の面１４及びそれと反対側に位置する第２の面１５を有する板状の基台１３を有する。塗布部１２における第１の面１４側が、マスカラ薬剤の塗布機能及び／又はまつ毛を押さえる機能を有している。塗布部１２における第２の面１５側は、好ましくはまつ毛を押さえる機能及び／又はマスカラ薬剤の塗布機能を有している。【選択図】図１
2008114057.tif 000002
【特許請求の範囲】
【請求項１】
支持軸の先端に塗布部を備え、
前記塗布部は、前記支持軸の長手方向に延び且つ第１の面及びそれと反対側に位置する第２の面を有する板状の基台を有し、
前記基台における第１の面側が、マスカラ薬剤の塗布機能を有しているマスカラ塗布具。
【請求項２】
前記基台における第２の面側が、まつ毛を押さえる機能を有している請求項１記載のマスカラ塗布具。
【請求項３】
前記基台における第１の面が、平面であるか又は凸面である請求項１又は２記載のマスカラ塗布具。
【請求項４】
前記基台における第２の面が、平面であるか又は凹面である請求項１又は２記載のマスカラ塗布具。
【請求項５】
マスカラ薬剤を収容した容器と、該マスカラ薬剤中に前記塗布部が浸漬されている請求項１ないし４の何れかに記載のマスカラ塗布具とを備えたマスカラ化粧用具であって、該マスカラ薬剤として、以下の方法で測定される湾曲角度が５度以上であるものが収容されているマスカラ化粧用具。
〔湾曲角度の測定方法〕
幅２ｃｍ、長さ５ｃｍ、厚さ７５μｍの矩形状のポリエチレンテレフタレート製フィルム（帝人デュポン（株）製、メチネックスＳ）における長手方向中央部の位置に、幅方向にわたって固形分２０重量％のマスカラ薬剤を、幅５ｍｍにてスペーサー５００μｍのコーターで塗布する。乾燥後の塗布厚は２５０μｍとする。温度２３℃、湿度５０％ＲＨの環境下で１２時間放置する。１２時間経過後、フィルムの曲がり角度を測定し、その値を湾曲角度とする。
【発明の詳細な説明】
【技術分野】
【０００１】
本発明はマスカラ塗布具に関する。
【背景技術】
【０００２】
マスカラブラシとしては、例えば熱可塑性樹脂からなる複数のブラシ繊維束を、二条の金属芯線材によって挟持しながら、これらをらせん状に捻回することによって得られる、いわゆるスクリューブラシが知られている（特許文献１参照）。スクリューブラシを用いたマスカラ薬剤のまつ毛への塗布の手順は図７に示す通りである。先ず図７（ａ）に示すように、ブラシ部Ｂの毛材間にマスカラ薬剤が貯留したスクリューブラシを、まつ毛の下方からまつ毛へ接近させる。次いで図７（ｂ）に示すように、ブラシ部Ｂの毛材間にまつ毛を入り込ませる。この状態下に図７（ｃ）ないし（ｅ）に示すように、ブラシを上方に移動させ、毛材間に貯留されているマスカラ薬剤をまつ毛に塗布する。この図７（ａ）ないし（ｅ）の動作を、所望のカール形状が得られるまで繰り返し、マスカラ薬剤をまつ毛に塗布する。
【０００３】
しかしながら、図７（ａ）ないし（ｆ）から明らかなように、従来のスクリューブラシを用いた場合には、ブラシ部Ｂの形状に起因して、まつ毛の根元にマスカラ薬剤を塗布することが容易でない。また、従来のスクリューブラシでマスカラ薬剤を多量にまつ毛に塗布するためには、何度も重ね塗りが必要であり手間がかる。更に、重ね塗りすることで、化粧効果が悪くなるという不都合もある。具体的には、マスカラ薬剤の入っている容器と、まつ毛の間をブラシが何度も行き来するので時間がかかり、その間に先に塗られている薬剤が固化してしまい、固化したところをブラシで梳くと、せっかく塗った薬剤が剥がれてしまい、いわゆるダマが発生しやすくなる。
【０００４】
前記のスクリューブラシとは別に、マスカラ液の塗布部が形成された塗布用ブラシと、櫛の歯状のコームが形成された整え用ブラシが一体になったマスカラブラシが提案されている（特許文献２参照）。また、マスカラ塗布具の塗布域を、支持棒の軸方向に弓なりに湾曲させ、その湾曲部に針状突起を設けると共に、その反対側に、塗布箇所を整えるための複数の溝を設けたものが提案されている（特許文献３参照）。
【０００５】
しかしこれらの道具においては、塗布部の軸の断面が円形になっているので、該塗布部に多量のマスカラ薬剤を貯留させるには限界がある。従って、１回の塗布操作当たりのマスカラ薬剤の塗布量を多くすることは容易でない。
【０００６】
【特許文献１】特開昭６３−１４３００６号公報
【特許文献２】特開２００４−３２９９４６号公報
【特許文献３】特開２００５−１２５０２１号公報
【発明の開示】
【発明が解決しようとする課題】
【０００７】
従って本発明の目的は、前述した従来技術が有する欠点を解消し得るマスカラ塗布具を提供することにある。
【課題を解決するための手段】
【０００８】
本発明は、支持軸の先端に塗布部を備え、
前記塗布部は、前記支持軸の長手方向に延び且つ第１の面及びそれと反対側に位置する第２の面を有する板状の基台を有し、
前記基台における第１の面側が、マスカラ薬剤の塗布機能を有しているマスカラ塗布具を提供するものである。
【発明の効果】
【０００９】
本発明のマスカラ塗布具によれば、塗布部が板状であることから、多量のマスカラ薬剤を該塗布部に貯留させることができ、１回の塗布操作当たりのマスカラ薬剤の塗布量（例えば従来の塗布量よりも１０％以上アップ）を多くすることができる。従って、少ない塗布回数（例えば従来の塗布回数よりも３割程度少ない回数）で所望の量のマスカラ薬剤をまつ毛に塗布することができ、ダマが発生しづらい。また、塗布部の形状に起因して、まつ毛の根元から先端にわたりマスカラ薬剤を容易に塗布できる。更に、マスカラ薬剤の塗布回数が少ない状態でまつ毛を押し上げて、そのままの状態で薬剤を乾燥させると、上方に向けて湾曲するきれいなカールをまつ毛に賦与することができる。
【００１０】
特にマスカラ塗布具の基台における第１の面が長手方向に凸状に湾曲しており、かつ該基台における第２の面が長手方向に凹状に湾曲している場合は、第１の面で塗布する際に目の湾曲形状に合わせて塗布することが可能であり、また第２の面で押さえるときも瞼の湾曲形状にあわせて押さえることが可能となるため、１つの塗布具にてより高いカールをまつ毛に付与することができる。
【発明を実施するための最良の形態】
【００１１】
以下本発明を、その好ましい実施形態に基づき図面を参照しながら説明する。図１（ａ）ないし（ｄ）には本発明のマスカラ塗布具の一実施形態が示されている。マスカラ塗布具１０は、平板状の支持軸１１と、該支持軸１１の先端に支持された塗布部１２を有している。
【００１２】
塗布部１２は支持軸１１の長手方向に延びる板状の基台１３を有している。図１（ｄ）に示すように、基台１３は平面視して矩形をしており、長手方向Ｘ及び幅方向Ｙを有している。基台１３における長手方向の先端側の二箇所の隅は角がとられている。基台１３の長手方向Ｘの長さＬは、幅方向Ｙの長さＷよりも大きくなっている。
【００１３】
図１（ａ）及び（ｃ）に示すように、基台１３は、該基台１３の長手方向Ｘに沿って湾曲したアーチ状をしている。これと共に基台１３は、該基台１３の幅方向Ｙに関しては図１（ｂ）に示すように、平らになっている。基台１３は、長手方向Ｘ及び幅方向Ｙの何れの方向に関しても、厚みが一定になっている。
【００１４】
アーチ形の板状をしている基台１３は、図１（ｂ）に示すように、第１の面１４と、これと反対側に位置する第２の面１５を有している。第１の面１４は、図１（ａ）に示すように、長手方向に沿って凸状に湾曲した凸面になっている。一方、第２の面１５は、図１（ｃ）に示すように、長手方向に沿って凹状に湾曲した凹面になっている。凸面である第１の面１４と凹面である第２の面１５とは互いに相補形状をなしている。
【００１５】
先に述べた通り、基台１３はその幅方向Ｙに関して平らになっているが、これに代えて、基台１３は、実質的に平らと見なせる範囲において幅方向Ｙに沿って若干湾曲していてもよい。具体的には、基台１３の第１の面１４側は、その幅方向Ｙに関して、突出片１６の起立方向に向けて若干凸状に湾曲していてもよい。つまり、第１の面１４は幅方向Ｙに沿って凸面になっていてもよい。同様に基台１３の第２の面１５側は、その幅方向Ｙに関して、毛材１７の先端から根元の方向に向けて若干凹状に湾曲していてもよい。つまり、第２の面１５は幅方向Ｙに沿って凹面になっていてもよい。第１の面１４側及び第２の面１５側それぞれの曲率半径は好ましくは５ｍｍ以上、更に好ましくは１５ｍｍ以上、一層好ましくは２５ｍｍ以上である。第１の面１４側及び第２の面１５側それぞれの曲率半径は同じでもよく、或いは異なっていてもよい。
【００１６】
凸面である第１の面１４には、多数のコーム状突出片１６が立設されている。突出片１６は、先端が丸みを帯びてやや細くなっている柱状をしている。突出片１６は、基台１３と共に一体成形によって形成されている。突出片１６は、その形状がすべて同じになっている。突出片１６は、基台１３の長手方向Ｘに沿って所定間隔を置いて規則的に直線状に配置されて列をなしている。そしてその列が、基台１３の幅方向Ｙに沿って所定間隔を置いて多列に配列されている。長手方向Ｘ及び幅方向Ｙに隣り合う突出片１６どうしの間隔は、隣り合う突出片１６の間にマスカラ薬剤が十分に貯留され得るような値に設定される。このように突出片１６が配置されていることで、塗布部１２における第１の面１４側は、マスカラ薬剤の塗布機能を有している。
【００１７】
凹面である第２の面１５には毛材１７が密植されている。ここで言う密植とは、第２の面１５側をまつ毛に押し当てたときに毛材１７間にまつ毛が容易に入り込み難い程度の高密度で、及び／又は、毛材１７間にマスカラ薬剤が容易に貯留し難い程度の高密度で毛材１７が植毛されていることをいう。例えば、第１の面１４に立設された突出片１６の単位面積当たりの本数よりも、毛材１７の単位面積当たりの本数の方が多い場合には、毛材１７は密植されていると言うことができる。毛材１７は、その一端が基台１３の第２の面１５に結合されて第２の面１５から起立している。毛材１７は、例えば静電植毛法によって基台１３に結合され得る。毛材１７がこのように植毛されていることで、塗布部１２における第２の面１５側は、まつ毛を押さえる機能を有している。
【００１８】
塗布部１２の詳細について更に説明すると、塗布部１２を構成する基台１３は、その長手方向Ｘの長さＬが２０〜３０ｍｍ、特に２５〜３０ｍｍであることが、マスカラ薬剤を首尾良くまつ毛に塗布し得る点から好ましい。また基台１３は、その幅方向Ｙの長さＷが５〜８ｍｍ、特に６〜７．５ｍｍであることが、十分な量のマスカラ薬剤を第１の面１４側に貯留し得る点から好ましい。基台１３の湾曲の程度、即ち、第１の面１４及び第２の面１５の湾曲の程度は、曲率半径で表して１５ｍｍ以上、特に２５ｍｍ以上であることが、マスカラ薬剤を首尾良くまつ毛に塗布し得る点、及びまつ毛を確実に押さえつけることができる点から好ましい。なお、この曲率半径が無限大になった状態が、後述する図６（ａ）及び（ｂ）に示す実施形態に相当する。
【００１９】
基台１３の第１の面１４側に立設されている柱状の突出片１６は、その高さが０．５〜２ｍｍ、特に１．０〜１．５ｍｍであることが、操作性が良好になる点、及び十分な量のマスカラ薬剤を第１の面１４側に貯留し得る点から好ましい。突出片１６の太さは、直径で表して０．２〜１ｍｍ、特に０．３〜０．５ｍｍであることが、操作性が良好になる点から好ましい。突出片１６の太さが高さ方向で一様でない場合には、前記の直径は、最も太い部分での値を言う。隣り合う突出片１６どうしの間隔は、基台１３の長手方向Ｘ及び幅方向Ｙの何れにおいても０．３〜１ｍｍ、特に０．４〜０．７ｍｍであることが、十分な量のマスカラ薬剤を突出片１６間に貯留し得る点から好ましい。同様の理由により、基台１３の突出片の最表面の単位面積当たりの突出片１６の数は１〜５本／ｍｍ2、特に２〜４本／ｍｍ2であることが好ましい。隣り合う突出片１６どうしの間隔は、基台１３の長手方向Ｘ及び幅方向Ｙにおいて同じでもよく、或いは異なっていてもよい。
【００２０】
なお、本発明においては、基台１３の第１の面１４に突出片１６を立設させることに代えて、例えば毛材を植毛することで、第１の面１４側にマスカラ薬剤の塗布機能を付与することも可能である。この場合、毛材の太さは、直径で表して０．０５〜０．２５ｍｍ、特に０．０７〜０．１６ｍｍであることが、操作性が良好になる点から好ましい。基台１３の単位面積当たりの毛材の数は５〜１０本／ｍｍ2、特に１〜５本／ｍｍ2であることが、十分な量のマスカラ薬剤を突出片１６間に貯留し得る点から好ましい。毛材の長さは、突出片１６の高さと同様とすることができる。
【００２１】
基台１３の第２の面１５側に立設されている毛材１７は、その長さが０．５〜２ｍｍ、特に０．５〜１．８ｍｍであることが、まつ毛を首尾良く押し付けることができる点から好ましい。同様の理由により、毛材１７の太さは、直径で表して０．０２〜０．０８ｍｍ、特に０．０３〜０．０７ｍｍであることが好ましい。基台１３の単位面積当たりの毛材の数は１０〜５００本／ｍｍ2、特に４０〜４００本／ｍｍ2であることが、毛材１７の間にマスカラ薬剤が貯留しづらくなる点、及び毛材１７の間にまつ毛が入り込みにくくなる点から好ましい。
【００２２】
なお、本発明においては、基台１３の第２の面１５に毛材を密植することに代えて、該面１５を凹凸面にすることで、該面１５にまつ毛を押さえる機能を付与することができる。第２の面１５を凹凸面にするためには、例えば該面１５をサンドペーパーで擦って粗面にすればよい。或いは、第２の面１５に、多数のスポンジの小片を、不連続に貼り付けてもよい。
【００２３】
或いは、基台１３の第２の面１５にテフロン（登録商標）シート等の撥水性のシートを貼り付けることで、該面にまつ毛を押さえる機能を付与することができる。撥水性のシートを貼り付けることは、後述するマスカラ薬剤の貯留量を限りなく０に近づけることができる点で有利である。
【００２４】
以上の構成を有する本実施形態のマスカラ塗布具１０によれば、塗布部１２の基台１３が板状なので、第１の面１４側に多量のマスカラ薬剤を貯留させることができる。その結果、１回の塗布操作当たりのマスカラ薬剤の塗布量を多くできる。換言すれば、少ない塗布回数でマスカラ薬剤をたっぷりとまつ毛に塗布することができる。少ない塗布回数でマスカラ薬剤を塗布できることは、ダマ発生の防止の観点から極めて有効である。
【００２５】
図２には、本実施形態のマスカラ塗布具１０を用いてマスカラ薬剤をまつ毛に塗布している状態が示されている。同図に示すように、塗布具１０の塗布部１２における第１の面１４側にマスカラ薬剤を貯留させた状態下に、該面１４側をまつ毛に当接させて塗布具１０を上方に移動させる。これによってまつ毛に薬剤を塗布する。
【００２６】
図３（ａ）ないし（ｆ）には、マスカラ塗布具１０を用いたマスカラ薬剤の塗布方法が順を追って示されている。先ず、図３（ａ）に示すように、塗布部１２における第１の面１４側にマスカラ薬剤を貯留させた状態下に、該面１４側をまつ毛に当接させる。この場合、塗布部１２の基台１３は、矩形の板状であることから、塗布部１２をまつ毛の根元に容易に当接させることができる。しかも、第１の面１４側は長手方向へ凸状に湾曲しているので、これによっても塗布部１２をまつ毛の根元に容易に当接させることができる。次いで、図３（ｂ）に示すように、塗布部１２をやや上方へ移動させて、第１の面１４側に立設された多数の柱状の突出片１６間にまつ毛を入り込ませる。この場合、第１の面１４が長手方向へ凸状に湾曲していることから、内眼角から外眼角までの広い範囲にわたり、まつ毛全体を突出片１６間に確実に入り込ませることができる。この状態下に、図３（ｃ）ないし（ｅ）に示すように、塗布部１２を上方へ移動させて、突出片１６間に貯留されているマスカラ薬剤をまつ毛に転写させる。特に、図３（ｄ）及び（ｅ）に示すように、第１の面１４が鉛直面に近づくように塗布部１２を立てて塗布することによって、塗布の動作中でもまつ毛にカールを賦与することが可能となる。
【００２７】
前記の図３（ａ）ないし（ｅ）の動作を、所望の量のマスカラ薬剤がまつ毛に塗布されるまで、所定の回数繰り返す。先に述べた通り、塗布部１２の第１の面１４側には多量のマスカラ薬剤が貯留されているので、図３（ａ）ないし（ｅ）の繰り返し動作は、従来のスクリューブラシを用いた場合（図７参照）に比較して少なくて済む。しかも、本実施形態の塗布具１０によれば、まつ毛の根元から先端までの全長にわたってマスカラ薬剤を塗布することができるので、このことによっても、該薬剤の塗布量を多くすることができる。
【００２８】
このようにしてまつ毛にマスカラ薬剤が塗布されたら、次に図４に示すように、マスカラ塗布具１０の塗布部１２を表裏反転させる。そして塗布部１２における第２の面１５側をまつ毛に押し当てる。第２の面１５側はまつ毛を押さえる機能を有しているので、該面１５側をまつ毛に押し当ててしばしの間その状態を維持することで、まつ毛にきれいなカールが賦与される。この場合、第２の面１５側は、瞼の湾曲形状にほぼ合致して長手方向へ凹状に湾曲しているので、内眼角から外眼角までの広い範囲にわたり、１回の操作でまつ毛を押し当てることができる。
【００２９】
特に、まつ毛の下側に存在していたマスカラ薬剤が、塗布部１２による押さえつけでまつ毛の上側に移動する。つまり、薬剤はまつ毛の上側に偏在する。これによって、カールの形状が一層きれいになると共に、その形状が安定的に維持されるようになる。
【００３０】
第２の面１５側によってまつ毛を押し当てる場合には、特にまつ毛の先端域におけるまつ毛の下面側を押し当てるようにすると、まつ毛の下面側に存在していたマスカラ薬剤が上面側に一層移動する。その結果、まつ毛が上方に向けて湾曲したカール形状が維持されやすくなるので好ましい。
【００３１】
塗布部１２における第２の面１５側は、まつ毛にカール形状を賦与するためのものであり、マスカラ薬剤をまつ毛に塗布するために用いられるものではない。この観点から、塗布部１２を、マスカラ容器内に収容されたマスカラ薬剤中に浸漬させた後に引き上げる場合には、第２の面１５側に付着した薬剤を極力しごき落として、薬剤の貯留量をできる限り少なくすることが好ましい。第２の面１５側における薬剤の貯留量が多い場合には、まつ毛にカール形状を賦与するための押さえ効果が十分にならない場合がある。また、結果的に乾燥又は半乾燥した薬剤の上に、新たな薬剤を重ね塗りすることになるので、ダマが発生する可能性がある。以上の観点から、塗布部１２における第１の面１４側におけるマスカラ薬剤の貯留量を１００としたときに、第２の面１５側におけるマスカラ薬剤の貯留量が５０以下、特に３０以下、とりわけ２０以下となるように、第１の面１４側における突出片１６の太さや高さ、単位面積当たりの本数を適宜調整し、また第２の面１５側における毛材１７の太さや高さ、単位面積当たりの本数を適宜調整することが好ましい。第２の面１５側におけるマスカラ薬剤の相対的な貯留量は少なければ少ないほど好ましく、最も好ましくは０である。
【００３２】
塗布部１２における第１の面１４側及び第２の面１５側のマスカラ薬剤の貯留量は次の方法で測定される。マスカラ塗布具１０をマスカラ薬剤に浸漬し、シゴキ弁でしごいて余分なマスカラ薬剤を落とす。マスカラ塗布具１０の第１の面１４及び第２の面１５にそれぞれ東洋濾紙の濾紙Ｎｏ２を押し当て、濾紙Ｎｏ２にマスカラ薬剤を転写させる。その後、濾紙Ｎｏ２を乾燥させてその重量を測定し、薬剤転写後の濾紙Ｎｏ２重量と薬剤転写前の濾紙Ｎｏ２重量との差を第１の面１４及び第２の面１５の薬剤貯留量とする。
【００３３】
本実施形態のマスカラ塗布具１０を、マスカラ薬剤を収容した容器と組み合わせることでマスカラ化粧用具が提供される。即ちこのマスカラ化粧用具は、マスカラ薬剤を収容した容器と、該マスカラ薬剤中に塗布部１２が浸漬されているマスカラ塗布具１０とを備えたものである。本実施形態のマスカラ塗布具１０によって塗布されるマスカラ薬剤の種類に特に制限はなく、従来公知のものを塗布の対象とすることができる。特に、以下の方法で測定される湾曲角度が５度以上、特に１０度以上であるマスカラ薬剤を本実施形態の塗布具１０と組み合わせて使用することで、まつ毛に一層きれいなカールを賦与することができる。
【００３４】
〔湾曲角度の測定方法〕
図５（ａ）に示すように、幅２ｃｍ、長さ５ｃｍ、厚さ７５μｍの矩形状のポリエチレンテレフタレート製フィルム（帝人デュポン（株）製、メチネックスＳ）における長手方向中央部の位置に、図５（ｂ）に示すように、幅方向にわたって固形分２０重量％のマスカラ薬剤を、幅５ｍｍにてスペーサー５００μｍのコーターで塗布し塗膜Ｍを形成する。乾燥後の塗布厚は２５０μｍであった。塗膜Ｍを温度２３℃、湿度５０％ＲＨの環境下で１２時間放置する。図５（ｃ）に示すように、乾燥によって塗膜Ｍは収縮する。１２時間経過後、図５（ｄ）に示すように、フィルムＦの曲がり角度θを測定し、その値を湾曲角度とする。
【００３５】
前記の湾曲角度を有するマスカラ薬剤は、これをまつ毛に塗布して乾燥させた場合に、その収縮の程度が大きいものである。ところで先に述べた通り、本実施形態の塗布具を用いてマスカラ薬剤をまつ毛に塗布すると、まつ毛の上側に薬剤が偏在する。従ってこの偏在したマスカラ薬剤が乾燥時の収縮の程度が大きなものであると、カールの形状が一層顕著なものとなるという利点がある。
【００３６】
前記の湾曲角度を有するマスカラ薬剤としては、下記に定義されるポリマー占有分変化率（ΔＷ）が１３％以上であるポリマー（以下ポリマー（Ａ）という）及び水を含有し、ポリマー（Ａ）の含有量が３〜５０重量％であるものが挙げられる。
【００３７】
〔ポリマー占有分変化率（ΔＷ）〕
ΔＷは、ポリマーを成膜させる過程において、被膜硬度が鉛筆硬度２Ｂとなってから乾燥するまでのポリマー占有分の変化率で、式（Ｉ）で表される値である。
ΔＷ＝Ｗ２−Ｗ１ （Ｉ）
ここで、Ｗ１及びＷ２は、ポリマー濃度２０重量％の水溶液を調製し、２枚のガラス板上にそれぞれアプリケーターで２５０μｍの厚さで、１１ｃｍ×２０ｃｍの面積に塗布し、２３℃、６５％ＲＨの条件下で乾燥させ、１枚のポリマー展開ガラス板で乾燥に伴う塗布膜の重量変化を測定し、もう１枚で被膜硬度を鉛筆硬度法により測定し、ポリマーの被膜硬度が鉛筆硬度２Ｂ時のポリマー占有分を下記式で算出してＷ１（％）とし、塗布後２４時間後（以下乾燥後という）のポリマー占有分を下記式で算出してＷ２（％）とする。
Ｗ１（％）＝［Ｗｐ／Ｗ１ｔ］×１００
Ｗ２（％）＝［Ｗｐ／Ｗ２ｔ］×１００
（式中、Ｗｐは塗布時の塗布膜中のポリマー重量、Ｗ１ｔは鉛筆硬度２Ｂ時の塗布膜重量、Ｗ２ｔは乾燥後の塗布膜重量である。）
【００３８】
ポリマー（Ａ）としては、前記で定義されたポリマー占有分変化率（ΔＷ）が１３％以上のポリマーであれば、ポリマーの組成、形態にかかわらず使用できるが、ΔＷが１３〜３５％のポリマーが好ましく、１５〜３０％のポリマーが更に好ましい。
【００３９】
ポリマー（Ａ）としては、例えば、ポリメタクリル酸又はその塩等のアクリル系ポリマー、ポリスチレンスルホン酸又はその塩等のスチレン系ポリマー、ポリウレタン、アクリル−ポリウレタン、ポリエステル−ポリウレタン、ポリエーテル−ポリウレタン等のウレタン系ポリマー等が挙げられる。これらポリマーの中では、安全性、ポリマー硬度の面から、メタクリル酸及びその塩から選ばれる少なくとも１種の構成モノマー単位を有するポリマー、スチレンスルホン酸及びその塩から選ばれる少なくとも１種の構成モノマー単位を有するポリマーが好ましく、メタクリル酸及びその塩から選ばれる少なくとも１種の構成モノマー単位を有するポリマーが更に好ましい。また、塩としては、アルカリ金属塩、アルカリ土類金属塩、アンモニウム塩等が挙げられる。
【００４０】
ポリマー（Ａ）の重量平均分子量（ＧＰＣにより測定、ポリエチレングリコール換算）は、５０００〜１００万が好ましく、８０００〜５０万が更に好ましい。また、ポリマー（Ａ）は、水溶液系、水／アルコール混合溶液系、もしくはエマルジョン系など、形態にかかわらず使用できる。
【００４１】
マスカラ薬剤中のポリマー（Ａ）の含有量は、良好なカールを与える観点から３重量％以上で、粘度の面で使用し易い点から５０重量％以下であり、３．５〜５０重量％が好ましく、３．５〜４０重量％が更に好ましい。また、マスカラ薬剤中の水の含有量は、２０〜９５重量％が好ましく、３０〜９０重量％が更に好ましく、４０〜８０重量％が特に好ましい。
【００４２】
次に、本発明の他の実施形態を、図６（ａ）及び（ｂ）を参照しながら説明する。本実施形態に関し特に説明しない点については、先に述べた実施形態に関する説明が適宜適用される。図６（ａ）及び（ｂ）において図１（ａ）ないし（ｄ）と同じ部材には同じ符号を付してある。
【００４３】
図６（ａ）及び（ｂ）に示す実施形態の塗布具１０が、先に述べた実施形態の塗布具と異なる点は、塗布部１２における基台１３の形状である。先に述べた実施形態においては、基台１３は該基台１３の長手方向に沿って湾曲していたが、本実施形態の基台１３は平板状である。それ以外の点については、本実施形態は、先に述べた実施形態と同様である。そして本実施形態によれば、先に述べた実施形態と同様の効果が奏される。
【００４４】
以上、本発明をその好ましい実施形態に基づき説明したが、本発明は前記実施形態に制限されない。例えば図１（ａ）ないし（ｄ）に示す実施形態においては、基台１３の第１の面１４と第２の面１５とは、互いに相補形状をなす湾曲形状であったが、これに代えて、第１の面を凸状の湾曲形状となし且つ第２の面を平面状となしてもよい。或いは、第１の面を平面状となし且つ第２の面を凹状の湾曲形状となしてもよい。
【００４５】
また、図１（ａ）ないし（ｄ）に示す実施形態において、基台１３の正面視形状は板状形状であるが、その板状形状に代えて板状形状に近い楕円形状や二等辺三角形状としてもよい。基台１３の第１面側が楕円形状であり、第２面側が平面形状であったり、基台１３の第１面側が三角形状であり、第２面側が平面形状や楕円形状であってもよい。さらには、図１（ａ）ないし（ｄ）に示す実施形態においては、支持軸１１の形状は板状形状であるが、その板状形状に代えて丸軸形状や楕円形状にしてもよい。
【００４６】
また前記実施形態においては、突出片１６の形状はすべて同じであったが、該突出片の配置位置に応じてその形状を変えてもよい。また、突出片１６の配置パターンは前記実施形態で説明したパターン以外であってもよい。
【００４７】
更に本発明の塗布具はマスカラ薬剤をまつ毛に塗布するのに特に適したものであるが、これ以外にも例えば眉毛や頭髪の生え際に薬剤や化粧料を塗布するために用いることもできる。
【実施例】
【００４８】
以下、実施例により本発明を更に詳細に説明する。しかしながら本発明の範囲はかかる実施例に制限されない。
【００４９】
〔実施例１〕
図１（ａ）ないし（ｄ）に示すマスカラ塗布具を作製した。支持軸１１並びに基台１３及び突出片１６からなる塗布部１２は、ポリエステル系エラストマー樹脂を用いて成形より形成した。基台１３の長さＬは平面視において２５ｍｍ、幅Ｗは７ｍｍであった。基台１３の長手方向の曲率半径は３８ｍｍであった。突出片１６はその高さが１．５ｍｍ、直径は０．３ｍｍ、単位面積当たりの突出片１６の数は４本／ｍｍ2であった。基台１３における第２の面１５には静電植毛法により、ナイロン樹脂からなる毛材１７を密植した。毛材１７の長さは１．５ｍｍであり、直径は０．０２ｍｍであった。単位面積当たりの毛材１７の密度は１００本／ｍｍ2であった。第１の面側のマスカラ薬剤の貯留量を１００としたときの、第２の面側のマスカラ薬剤の貯留量は３であった。塗布に用いたマスカラ薬剤は、以下の表２に記載の高収縮性ＰＭＡＡを配合したマスカラ薬剤Ｙであった。塗布方法は、先ずマスカラ塗布具１０をマスカラ薬剤に浸漬し、シゴキ弁でしごいて余分なマスカラ薬剤を落とした後、第１面の面１４で下から上に梳き上げる操作を１０回繰り返してマスカラ薬剤をまつ毛に塗布した。その後、マスカラ塗布具１０を表裏反転させ第２の面１５を用いてまつ毛に１０秒間押し当てた。
【００５０】
〔実施例２〕
基台１３における第２の面１５に施した静電植毛の毛材１７の長さを１．０ｍｍ、直径を０．０５ｍｍとした以外は実施例１と同様にしてマスカラ塗布具を得た。第１の面側のマスカラ薬剤の貯留量を１００としたときの、第２の面側のマスカラ薬剤の貯留量は２０であった。塗布に用いたマスカラ薬剤は、以下の表２に記載の低収縮性ＰＡＡを配合したマスカラ薬剤Ｘであった。塗布方法は、実施例１と同様とした。
【００５１】
〔実施例３〕
実施例１において、基台１３における第２の面１５に静電植毛の毛材１７の密度を、単位面積当たり５０本／ｍｍ2とした以外は実施例２と同様にしてマスカラ塗布具を得た。第１の面側のマスカラ薬剤の貯留量を１００としたときの、第２の面側のマスカラ薬剤の貯留量は５０であった。塗布に用いたマスカラ薬剤は、以下の表２に記載の低収縮性ＰＡＡを配合したマスカラ薬剤Ｘであった。塗布方法は、実施例１と同様とした。
【００５２】
〔比較例１〕
マスカラ塗布具としてスクリューブラシを作製した。塗布部における毛材１５の直径が１００μｍ、長さが芯材の中心から２．５ｍｍ、最表面の密度が４本／ｍｍ2となるよう毛材を金属芯線材によって挟持しながら、これらをらせん状に捻回することによってスクリューブラシを得た。塗布に用いたマスカラ薬剤は、以下の表２に記載の高収縮性ＰＭＡＡを配合したマスカラ薬剤Ｙであった。塗布方法は、スクリューブラシをマスカラ薬剤に浸漬し、シゴキ弁でしごいて余分なマスカラ薬剤を落とした後、下から上に梳き上げる操作を１０回繰り返してマスカラ薬剤をまつ毛に塗布した。
【００５３】
〔比較例２〕
比較例１において、塗布に用いたマスカラ薬剤は、以下の表２に記載の低収縮性ＰＡＡを配合したマスカラ薬剤Ｘとし、塗布方法は下から上に梳き上げる操作の回数を３０回にした以外は比較例１と同様にしてマスカラ薬剤をまつ毛に塗布した。
【００５４】
〔比較例３〕
比較例２において、下から上に梳き上げる操作の回数を１０回にした以外は比較例２と同様にしてマスカラ薬剤をまつ毛に塗布した。
【００５５】
〔比較例４〕
実施例１のマスカラ塗布具の基台１３に代えて、円柱状の基台（塗布部軸）を有するマスカラ塗布具を作製した。塗布部１２の一方の半面側のマスカラ薬剤の貯留量を１００としたときの、他方の半面側のマスカラ薬剤の貯留量は２０であった。塗布に用いたマスカラ薬剤は、以下の表２に記載の高収縮性ＰＭＡＡを配合したマスカラ薬剤Ｙであった。塗布方法は、実施例１と同様の方法で行った。
【００５６】
〔評価〕
実施例及び比較例で得られたマスカラ塗布具を用いて、１０人のパネラーを対象として前記の方法にてまつ毛にマスカラ薬剤を塗布させた。マスカラ薬剤が塗布されたまつ毛のカールの程度（カール角度）、ダマ発生個数、及び仕上がりのきれいさを以下の基準で評価した。その結果を以下の表１に示す。
【００５７】
実施例及び比較例で用いたマスカラ薬剤Ｘ及びマスカラ薬剤Ｙは、以下の表２に示す各成分をワックスの融点まで加熱した後に均一攪拌混合することにより調製した。なお、マスカラ薬剤Ｙに配合する高収縮性ポリマーは以下の方法にて調整された。また表２には、マスカラ薬剤の湾曲角度も併せて記載されている。
【００５８】
〔カールの程度（カール角度）〕
マスカラ薬剤を塗布する前のまつ毛（素まつ毛）の状態を、パネラーの顔を固定具で固定して真横から撮影した。図７に示すように、そのときの画像より、まつ毛先端とまつ毛根元を結んだ直線をＬ１とし、まつ毛根元からまぶた稜線にかけての直線をＬ２としてＬ１とＬ２の角度を測定しθ１とする。同様に、マスカラ薬剤を塗布した後の状態を撮影し測定した角度をθ２とする。θ２―θ１をカールの程度を示すカール角度θとして実施例及び比較例でのそれぞれのパネラーのカール角度θの平均値を測定した。測定したカール角度θを下記の基準で５段階に評価した。カール角度θが大きいほどカール効果が高いことを意味する。
【００５９】
◎◎：カール角度が３１°以上である
◎：カール角度が２６°以上３１°未満である
○：カール角度が２１°以上２６°未満である
△：カール角度が１１°以上２１°未満である
×：カール角度が１１°未満である
【００６０】
〔ダマ発生個数〕
実施例及び比較例のそれぞれにおいて、マスカラ薬剤を塗布した後のまつ毛の状態を、真上から写真撮影する。拡大倍率２０倍の写真から任意に１ｃｍ2の範囲を選び、３０μｍ〜５０μｍ程度のマスカラ薬剤の固まりをダマとし、１０人のパネラーのダマ個数の平均値を求めた。測定したダマ個数を下記の基準で５段階に評価した。ダマ個数が少ないほど良いことを意味する。なお、ダマ個数の値は１０人のパネラーのダマ個数の平均値とした。
【００６１】
◎◎：ダマ個数が０個以上４個未満である
◎：ダマ個数が４個以上９個未満である
○：ダマ個数が９個以上１３個未満である
△：ダマ個数が１３個以上１７個未満である
×：ダマ個数が１７個以上である
【００６２】
〔仕上がりのきれいさ〕
実施例及び比較例のそれぞれにおいて、マスカラ薬剤を塗布した後のまつ毛のクセの状態を、１０人のパネラーに評価してもらった。
【００６３】
◎◎：まつ毛全体にクセがなく仕上がりが非常に綺麗である
◎：まつ毛全体の仕上がりが綺麗である
○：まつ毛全体の仕上がりがふつうである
△：まつ毛の一部にクセがあって汚くみえる
×：まつ毛全体にわたりクセがあってうねってみえる
【００６４】
【表１】
2008114057.tif 000003
【００６５】
〔マスカラ薬剤に配合する高収縮性ポリマーの調製〕
ガラス製反応容器にメタクリル酸（和光純薬（株）製）３００ｇ、エタノール１．５Ｌ、重合開始剤Ｖ−６５（和光純薬（株）製）１．７３ｇを入れ、６５℃で４時間重合した。得られたポリマー溶液をアセトン２０Ｌに滴下し再沈殿を行った。沈殿物を回収し、減圧下、６５℃で１２時間以上乾燥し、カセイソーダーでｐＨ６に調整して、ポリメタクリル酸（以下ＰＭＡＡという）を得た。得られたＰＭＡＡの重量平均分子量（ＧＰＣにより測定、ポリエチレングリコール換算）は１８万であった。このＰＭＡＡのΔＷは２１であった。
【００６６】
【表２】
2008114057.tif 000004
【図面の簡単な説明】
【００６７】
【図１】図１（ａ）は、本発明のマスカラ塗布具の一実施形態をその第１の面側からみた斜視図であり、図１（ｂ）は、図１（ａ）におけるｂ−ｂ線断面図であり、図１（ｃ）は、図１（ａ）に示す塗布具をその第２の面側からみた斜視図であり、図１（ｄ）は、図１（ａ）に示す塗布具をその第１の面側からみた平面図である。
【図２】図２は、図１に示すマスカラ塗布具を用いてまつ毛にマスカラ薬剤を塗布する状態を示す説明図である。
【図３】図３（ａ）ないし（ｆ）は、図１に示すマスカラ塗布具を用いたマスカラ薬剤の塗布方法を、順を追って示す説明図である。
【図４】図４は、マスカラ薬剤をまつ毛に塗布した後に、図１に示すマスカラ塗布具によってまつ毛を押さえる状態を示す説明図である。
【図５】図５（ａ）ないし（ｄ）は、マスカラ薬剤の湾曲角度の測定方法を示す説明図である。
【図６】図６（ａ）は、本発明のマスカラ塗布具の別の実施形態をその第１の面側からみた斜視図であり、図６（ｂ）は、図６（ａ）に示す塗布具をその第２の面側からみた斜視図である。
【図７】図７は、まつ毛のカール角度の測定方法を示す模式図である。
【図８】図８（ａ）ないし（ｆ）には、従来のスクリューブラシを用いたマスカラ薬剤の塗布方法を、順を追って示す説明図である。
【符号の説明】
【００６８】
１０  マスカラ塗布具
１１  支持軸
１２  塗布部
１３  基台
１４  第１の面
１５  第２の面
１６  突出片
１７  毛材
【図１】
2008114057.tif 000005
【図２】
2008114057.tif 000006
【図３】
2008114057.tif 000007
【図４】
2008114057.tif 000008
【図５】
2008114057.tif 000009
【図６】
2008114057.tif 000010
【図７】
2008114057.tif 000011
【図８】
2008114057.tif 000012